(57)【要約】【課題】人感センサの検出範囲が人の居場所から外れ難くする。【解決手段】器具本体１は、引掛シーリング７に取り付けられる取付部１００を有する。また、器具本体１は、取付部１００を通る中心線１０１で二分される２つの領域のうちの一方の領域に光源(補助光源３)が設けられ、且つ光源(補助光源３)が設けられていない方の領域の周縁部(枠部１２)に人感センサ５が設けられる。したがって、本実施形態の照明器具は、人感センサ５と光源(補助光源３)が、取付部１００を通る中心線１０１で二分される２つの領域のうちの同じ領域に設けられる場合と比較して、人感センサ５の検出範囲５１が人８６の居場所から外れ難くできる。【選択図】        図１
2015125801.tif 000002
【特許請求の範囲】
【請求項１】
天井に設けられた引掛シーリングに取り付けられる器具本体と、前記器具本体に設けられて壁面に光を照射する光源と、検出範囲における人の存在を検出する人感センサと、前記人感センサの検出結果に対応して前記光源を点灯及び消灯する電源装置とを備え、
前記器具本体は、前記引掛シーリングに取り付けられる取付部を有し、前記取付部を通る中心線で二分される２つの領域のうちの一方の前記領域に前記光源が設けられ、且つ前記光源が設けられていない方の前記領域の周縁部に前記人感センサが設けられることを特徴とする照明器具。
【請求項２】
前記器具本体は、前記取付部を挟んで対向する位置に前記光源と前記人感センサとが設けられることを特徴とする請求項１記載の照明器具。
【請求項３】
前記器具本体は、前記取付部を中心とする円板状に形成され、前記周縁部は、前記取付部を中心とする円周上を回転可能に構成されることを特徴とする請求項１記載の照明器具。
【発明の詳細な説明】
【技術分野】
【０００１】
本発明は、照明器具に関し、特に天井に取り付けられる照明器具に関する。
【背景技術】
【０００２】
従来例として、特許文献１記載の照明器具を例示する。この従来例は、天井に取り付けられる器具本体と、天井面及び壁面に光を照射するアッパーユニットと、床面に光を照射するロアーユニットとを備える。アッパーユニット及びロアーユニットは、何れも発光ダイオードを光源とするＬＥＤユニットで構成される。
【０００３】
特許文献１記載の従来例は、アッパーユニット並びにロアーユニットを個別に調光・調色できるように構成されており、照明の用途に応じた複数種類の点灯モードを有している。例えば、テレビジョン放送やＤＶＤ映像などの視聴に適した点灯モード(以下、映像視聴モードと呼ぶ。)では、ロアーユニットによる床面の照度を低下させるとともに一部のアッパーユニットのみを点灯してテレビ受像機の上方の壁面を照明している。
【０００４】
また、別の従来例として、照明空間における人の存在を検出する人感センサを備え、人感センサが人の存在を検出しているときに光源を点灯し、人感センサが人の存在を検出していないときに光源を消灯するように構成された照明器具もある。このような照明器具は、人が存在しないときに光源を消灯又は調光点灯させることで省エネルギー化を図ることができる。
【先行技術文献】
【特許文献】
【０００５】
【特許文献１】特開２０１２−１５５９３８号公報
【発明の概要】
【発明が解決しようとする課題】
【０００６】
ところで、特許文献１記載の従来例では、ロアーユニットから床面に照射される光を遮らないように、器具本体又は器具本体の下側に取り付けられる透光性のパネル(グローブとも呼ぶ)の周縁部分に人感センサを設けることが望ましい。
【０００７】
しかしながら、天井面の法線方向(上下方向)から見て、照明器具の中心線に対して、映像視聴モードで壁面を照明するアッパーユニットと、人感センサとが同じ側に配置されると、映像を視聴する人の居場所が人感センサの検出範囲から外れる虞がある。
【０００８】
本発明は、上記課題に鑑みて為されたものであり、人感センサの検出範囲が人の居場所から外れ難くすることを目的とする。
【課題を解決するための手段】
【０００９】
本発明の照明器具は、天井に設けられた引掛シーリングに取り付けられる器具本体と、前記器具本体に設けられて壁面に光を照射する光源と、検出範囲における人の存在を検出する人感センサとを備える。また、本発明の照明器具は、前記人感センサの検出結果に対応して前記光源を点灯及び消灯する電源装置とを備える。前記器具本体は、前記引掛シーリングに取り付けられる取付部を有する。また、前記器具本体は、前記取付部を通る中心線で二分される２つの領域のうちの一方の前記領域に前記光源が設けられ、且つ前記光源が設けられていない方の前記領域の周縁部に前記人感センサが設けられることを特徴とする。
【００１０】
この照明器具において、前記器具本体は、前記取付部を挟んで対向する位置に前記光源と前記人感センサとが設けられることが好ましい。
【００１１】
この照明器具において、前記器具本体は、前記取付部を中心とする円板状に形成され、前記周縁部は、前記取付部を中心とする円周上を回転可能に構成されることが好ましい。
【発明の効果】
【００１２】
本発明の照明器具は、引掛シーリングに取り付けられる取付部を通る中心線で器具本体が２つの領域に二分され、当該２つの領域のうちの一方の領域に光源が設けられ、且つ光源が設けられていない方の領域の周縁部に人感センサが設けられる。そのため、本陣氏形態の照明器具は、人感センサと光源が取付部を通る中心線で二分される２つの領域のうちの同じ領域に設けられる場合と比較して、人感センサの検出範囲が人の居場所から外れ難くすることができるという効果がある。
【図面の簡単な説明】
【００１３】
【図１】本発明に係る照明器具の実施形態を示し、Ａは側面図、Ｂは正面図である。
【図２】同上の分解斜視図である。
【図３】同上の説明図である。
【図４】Ａは同上が設置された部屋の側面図、Ｂは同上が設置された部屋の平面図である。
【図５】本発明に係る照明器具の別の実施形態を示し、Ａは上面図、Ｂは一部省略した側断面図である。
【発明を実施するための形態】
【００１４】
以下、本発明に係る照明器具の実施形態について、図面を参照して詳細に説明する。
【００１５】
本実施形態の照明器具は、図１〜図３に示すように器具本体１、主光源２、補助光源３、電源装置４、人感センサ５、カバー６などを備える。なお、この照明器具は、引掛シーリング７を用いて天井に直付けされる。
【００１６】
引掛シーリング７は、例えば、住宅の居間の天井に設けられる引掛シーリングボディ７０と、引掛シーリングボディ７０に装着される引掛シーリングアダプタ(以下、アダプタと略す。)７１とで構成される。ただし、このような引掛シーリング７は従来周知であるから、詳細な構造の図示並びに説明は省略する。
【００１７】
器具本体１は、本体部１０と、反射板１１と、枠部１２とを有する。本体部１０は、鋼板などの金属材料により、下面が開放された扁平な有底円筒形状に形成される。本体部１０は、外周円の中心(以下、中心と略す。)となる位置に、アダプタ７１が取り付けられる取付部１００が設けられている。取付部１００は、両端が開放された円筒形状に形成される。そして、引掛シーリングボディ７０に取り付けられたアダプタ７１が取付部１００に挿入されると、アダプタ７１の爪７１０が取付部１００の下端縁に引っ掛かることで器具本体１が引掛シーリング７に保持されて天井に取り付けられる。
【００１８】
反射板１１は、本体部１０と同じく鋼板などの金属材料で円板状に形成され、本体部１０の開放端を塞ぐようにして本体部１０に固定される。また、反射板１１は、中央部分に長孔状の貫通孔１１０が設けられている。なお、本体部１０の取付部１００は、貫通孔１１０を通して反射板１１の下面側に露出している。
【００１９】
枠部１２は、スチロール樹脂などの合成樹脂材料で円環状に形成される。そして、枠部１２は、本体部１０の周縁が嵌め込まれるようにして本体部１０と一体に構成される。
【００２０】
主光源２は、図２に示すように円環状の実装基板(図示せず)と、実装基板の表面(下面)に周方向に沿って実装された多数の発光ダイオード(図示せず)と、実装基板の周方向に沿って発光ダイオードを覆うように設けられた配光制御部材２０とを有する。配光制御部材２０は、透光性を有する合成樹脂材料で形成され、発光ダイオードから放射される光(照明光)を拡散させて下方へ照射するように構成される。主光源２は、反射板１１の下面において、貫通孔１１０を中心とする同心円上の位置にねじ止めして固定される。
【００２１】
補助光源３は、長方形状の実装基板(図示せず)と、実装基板の表面に長手方向に沿って実装された複数の発光ダイオード(図示せず)と、発光ダイオードから放射される光の配光を制御する配光制御部材(図示せず)とを有する。補助光源３は、光軸が本体部１０の外に向かって天井と平行になるように、本体部１０の上面における周縁部にねじ止めして固定される(図１参照)。なお、補助光源３から放射される光(補助照明光３０)は、本体部１０の周壁に設けられる窓孔(図示せず)を通して天井８０や壁８１に照射される(図４Ａ参照)。
【００２２】
電源装置４は、図示は省略するが、プリント配線板に多数の回路部品が実装され、引掛シーリング７を介して商用電源から供給される交流電圧・交流電流を直流電圧・直流電流に変換して主光源２と補助光源３に各別に給電するように構成される。また、電源装置４は、前記プリント配線板を収納する金属製のケース(図示せず)と、ケースから導出されるケーブル４０と、ケーブル４０の先端に設けられるプラグコネクタ４１とを有する。そして、プラグコネクタ４１が、アダプタ７１の下面中央に設けられたレセプタクルコネクタ７１１に接続される。すなわち、電源装置４は、ケーブル４０を介して商用電源から給電される。
【００２３】
人感センサ５は、人体から放射される赤外線を焦電素子で感知することによって、検出範囲における人の存在を検出して人体検出信号を出力するように構成される。また、人感センサ５は、枠部１２の下面に設けられる孔１２１から一部(赤外線を焦電素子に集光するためのレンズ)５０を突出させるようにして枠部１２内に設けられる。ただし、このような人感センサ５は従来周知であるから、詳細な構成の図示並びに説明は省略する。なお、人感センサ５は、超音波を送波及び受波することで人の存在を検出するものや、撮像素子で撮像される画像を用いて人の存在を検出するものなどであっても構わない。
【００２４】
カバー６は、透光性を有する合成樹脂材料(例えば、アクリル樹脂等)により、上面が開口し且つ下向きに凸となる中空の半球状に形成されている(図２参照)。カバー６は、開口端の内周面に、６つの突部６０が周方向に沿って等間隔に設けられている。そして、カバー６は、器具本体１の下面に周方向に沿って設けられる３つの取付具１３及び３つの支持金具１４に各突部６０が支持されることで器具本体１の下面における枠部１２の内側に取り付けられる。
【００２５】
本実施形態の照明器具は、図３に示すように引掛シーリング７に器具本体１が取り付けられることで天井８０に直付けされる。ここで、枠部１２に設けられている人感センサ５の検出範囲５１は、図３に破線で示すような円錐形状となる。つまり、この検出範囲５１に人が進入したとき、若しくは検出範囲５１に人が滞在しているとき、人感センサ５がその人の存在を検出して人体検出信号を電源装置４に出力する。電源装置４は、人体検出信号を入力されると主光源２及び補助光源３の少なくとも何れか一方を定格点灯させるように構成される。また、電源装置４は、人体検出信号が入力されなくなった時点から所定の遅延時間が経過した時点で、主光源２及び補助光源３の少なくとも何れか一方を消灯又は調光点灯させるように構成される。
【００２６】
ここで、図４Ａ，図４Ｂに示すように、本実施形態の照明器具が住宅の居間の天井８０に設置されていると仮定する。この居間において、一方の壁８２の近くにテレビ受像機８３が設置され、照明器具の真下にテーブル８４が設置され、テーブル８４を挟んでテレビ受像機８３と対向する位置にソファなどの長椅子８５が設置されているものとする。この場合、照明器具の器具本体１は、テレビ受像機８３が設置されている側の壁(図４Ａ，図４Ｂにおける左側の壁)８２に補助光源３の補助照明光３０を照射する向きで引掛シーリング７に取り付けられる。
【００２７】
ところで、テレビ受像機８３で映像コンテンツを視聴する人８６は、図４Ａ，図４Ｂに示すように長椅子８５に座る可能性が高いと考えられる。そうすると、器具本体１において人感センサ５が補助光源３の近くに設置された場合、人感センサ５の検出範囲(図４Ｂにおける二点破線で囲まれた範囲)５２から長椅子８５が外れてしまうことになる。その結果、人感センサ５が、長椅子８５に座る人８６の存在を検出できない虞がある。
【００２８】
そこで本実施形態の照明器具は、図１に示すように取付部１００を通る中心線１０１で二分される２つの領域のうちの左側の領域に補助光源３が設けられ、右側の領域に人感センサ５が設けられるように構成されている。したがって、図４Ｂに示すように、人感センサ５の検出範囲５１内に長椅子８５が含まれることになるので、人感センサ５の検出範囲５１が人８６の居場所から外れ難くすることができる。
【００２９】
上述のように本実施形態の照明器具は、天井８０に設けられた引掛シーリング７に取り付けられる器具本体１と、器具本体１に設けられて壁面に光を照射する光源(補助光源３)とを備える。また、本実施形態の照明器具は、検出範囲５１における人の存在を検出する人感センサ５と、人感センサ５の検出結果に対応して光源(補助光源３)を点灯及び消灯する電源装置４とを備える。器具本体１は、引掛シーリング７に取り付けられる取付部１００を有する。また、器具本体１は、取付部１００を通る中心線１０１で二分される２つの領域のうちの一方の領域に光源(補助光源３)が設けられ、且つ光源(補助光源３)が設けられていない方の領域の周縁部(枠部１２)に人感センサ５が設けられる。
【００３０】
上記構成により、本実施形態の照明器具は、人感センサ５と光源(補助光源３)が、取付部１００を通る中心線１０１で二分される２つの領域のうちの同じ領域に設けられる場合と比較して、人感センサ５の検出範囲５１が人８６の居場所から外れ難くできる。
【００３１】
また、器具本体１は、取付部１００を挟んで対向する位置に光源(補助光源３)と人感センサ５とが設けられることが好ましい。
【００３２】
さらに、器具本体１は、取付部１００を中心とする円板状に形成されることが好ましい。そして、周縁部(枠部１２)は、取付部１００を中心とする円周上を回転可能に構成されることが好ましい。
【００３３】
例えば、枠部１２は、図５に示すように本体部１０に設けられる円環状の外鍔１０２に回転可能に支持されるように構成される。つまり、枠部１２は、内周面に溝１２２が設けられ、その溝１２２に外鍔１０２が挿入されることにより、円周方向に回転可能なように外鍔１０２に支持される。また、枠部１２には、本体部１０の径方向に沿って人感センサ５と並ぶ位置に突起１２３が設けられている。一方、本体部１０の外周面には、突起１２３の移動経路上であり且つ中心線１０１上に一対のストッパ１０３が設けられている。したがって、枠部１２は、突起１２３をストッパ１０３に当てることで回転範囲を規制することにより、人感センサ５が補助光源３の設けられている側の領域(図５における中心線１０１の右側の領域)に入らないように構成される。なお、人感センサ５は、信号線５３によって電源装置４と接続されている。そして、この信号線５３は、枠部１２の回転範囲に対応した長さとされている。
【００３４】
上述のように枠部１２が本体部１０に対して回転可能に構成されることにより、部屋(例えば、居間)の形や調度品(テレビ受像機８３、テーブル８４、長椅子８５など)のレイアウトに対応して人感センサ５の位置を調整することができる。
【符号の説明】
【００３５】
１  器具本体
３  補助光源(光源)
４  電源装置
５  人感センサ
７  引掛シーリング
１２  枠部(周縁部)
１００  取付部
１０１  中心線
【図１】
2015125801.tif 000003
【図２】
2015125801.tif 000004
【図３】
2015125801.tif 000005
【図４】
2015125801.tif 000006
【図５】
2015125801.tif 000007